(57)【要約】  鉛直方向に静磁場を発生するときに、静磁場に置かれた検査対象に印加する励起ＲＦパルスを発生する照射コイルについて、径の大きい第１のリング状導体と径の小さい第２のリング状導体に加えて、その間の径を有する少なくとも１つの第３のリング状導体（中間リング）を配置した平面型バードケージコイルであり、中間リングの内側のラング（内側ラング）にダイオードを配置し、ダイオードを配置しない内側ラングが等間隔にならないように配置したＲＦコイル及びそれを用いた磁気共鳴装置。
2008108048.tif 000002
【特許請求の範囲】
【請求項１】
鉛直方向に静磁場を発生する静磁場発生部と、前記静磁場に置かれた検査対象に印加する励起ＲＦパルスを発生する照射コイルと、前記静磁場に重畳する傾斜磁場を発生する傾斜磁場発生部と、前記検査対象から発生する核磁気共鳴信号を検出する受信用コイルとを具備し、
前記照射コイルが、第１の径の第１のリング状導体、前記第１の径より小さい第２の径の第２のリング状導体、前記第１の径と前記第２の径との間の径を有する少なくとも１つの第３のリング状導体、及び前記第１のリング状導体と前記第２のリング状導体と前記第３のリング状導体との各々と連結する複数のラング導体と、前記第３のリング状導体より内側に位置するラング導体の内側部分に配置される第１ダイオードを有することを特徴とする磁気共鳴装置。
【請求項２】
前記複数のラング導体の全てについて、前記内側部分に前記第１ダイオードが各々配置されることを特徴とする請求項１に記載の磁気共鳴装置。
【請求項３】
前記内側部分に前記第１ダイオードが配置されるラング導体と、前記内側部分に前記第１ダイオードが配置されないラング導体とが、交互にならないように配置されることを特徴とする請求項１に記載の磁気共鳴装置。
【請求項４】
前記内側部分に前記第１ダイオードが配置されるラング導体と、前記内側部分に前記第１ダイオードが配置されないラング導体とが、少なくとも一部で異なる間隔で配置されることを特徴とする請求項１に記載の磁気共鳴装置。
【請求項５】
前記内側部分に前記第１ダイオードが配置される複数のラング導体に挟まれて位置する、前記内側部分に前記第１ダイオードが配置されないラング導体の数が、２以上であることを特徴とする請求項１に記載の磁気共鳴装置。
【請求項６】
前記内側部分に前記第１ダイオードが配置される複数のラング導体に挟まれて位置する、前記内側部分に前記第１ダイオードが配置されないラング導体の数は、２種類以上であることを特徴とする請求項１に記載の磁気共鳴装置。
【請求項７】
前記第３のリング状導体は、前記第１のリング状導体と前記第２のリング状導体との間に配置されかつ相互に電気的に接続された、複数の閉曲線状導体であることを特徴とする請求項１に記載の磁気共鳴装置。
【請求項８】
前記閉曲線状導体は、前記第１のリング状導体及び前記第２のリング状導体と同心円上に実質的に位置する円状部分を有することを特徴とする請求項７に記載の磁気共鳴装置。
【請求項９】
前記複数の閉曲線状導体は、キャパシタを介して相互に接続されることを特徴とする請求項７に記載の磁気共鳴装置。
【請求項１０】
前記円状部分には、キャパシタが配置されることを特徴とする請求項８に記載の磁気共鳴装置。
【請求項１１】
前記第３のリング状導体を１本有することを特徴とする請求項１に記載の磁気共鳴装置。
【請求項１２】
前記ラング導体を１２本有することを特徴とする請求項１に記載の磁気共鳴装置。
【請求項１３】
前記ラング導体を１６本有することを特徴とする請求項１に記載の磁気共鳴装置。
【請求項１４】
前記ラング導体を２４本有することを特徴とする請求項１に記載の磁気共鳴装置。
【請求項１５】
前記第１ダイオードに設置される放熱板をさらに有することを特徴とする請求項１に記載の磁気共鳴装置。
【請求項１６】
前記受信コイルの外径は、前記第１の径よりも小さいことを特徴とする請求項１に記載の磁気共鳴装置。
【発明の詳細な説明】
【参照による取り込み】
【０００１】
本出願は、２００７年３月２日に出願された日本特許出願第２００７−０５２１６７号の優先権を主張し、その内容を参照することにより本出願に取り込む。
【技術分野】
【０００２】
本発明は電磁波送信受信を行うためのＲＦコイル、及びそれを用いた磁気共鳴装置（以下、「ＭＲＩ装置」という）に関する。
【背景技術】
【０００３】
ＭＲＩ装置は、マグネットが発生する均一な静磁場中に被検体を配置し、被検体に電磁場を照射し、被検体内の核スピンを励起すると共に、その後、核スピンが発生する電磁波である核磁気共鳴信号を受信し、被検体を画像化する。静磁場発生領域内では、生体組織の原子核スピンは静磁場強度によって定まるラーモア周波数で歳差運動を行っており、ラーモア周波数と同じ周波数の高周波磁場を照射して核磁気共鳴を起こさせ、励起した核スピンが基底状態に戻るときに放出するラーモア周波数の電磁波を検出する。電磁波の照射と核磁気共鳴信号の受信は、ラジオ周波数（ＲＦ）の電磁波を送信あるいは受信するＲＦコイルによって行なわれ、ＭＲＩ装置に適した種々の形状の送信コイル、受信コイル或いは兼用コイルが開発されている。高周波磁場の照射及び検出には、静磁場方向に直交する向きの高周波磁場を発生するＲＦコイルが使用される。【０００４】
図１４は鉛直方向の均一な静磁場を発生するＭＲＩ装置におけるＲＦコイルの実施形態の例である。図１４は従来のハイパス型平面バードケージコイルである。コイル面が静磁場Ｂ０の向き１００に垂直になるように配置される。図１４に示したコイルでは、大きいリング状導体１６１の半径は４０ｃｍ、小さいリング状導体１６２の半径は６ｃｍである。放射状導体ラング１６３の本数は１２である。このような平面型バードケージコイルは、特開平８−２８０６５２号公報、特開平１１−９５７０号公報、特表２００２−２２４０８２号公報、及び特開２００５−２１３２５号公報などに開示されている。
【発明の開示】
【発明が解決しようとする課題】
【０００５】
電磁波の照射や磁気共鳴信号の検出を行うＲＦコイルにおいては、照射効率および照射均一性の向上、受信感度および感度分布の均一性向上が求められている。一般にＲＦコイルの照射不均一は撮影視野の内側で３０％以内であることが望まれる。また、撮影視野は２０〜４０ｃｍ程度に設定するのが一般的である。ＲＦコイルの照射効率や受信感度を向上させる方法として、ＱＤ（Ｑｕａｄｒａｔｕｒｅ  Ｄｅｔｅｃｔｉｏｎ）方式が知られている。ＱＤ方式は、互いの軸を直交させて配置した２つのＲＦコイルを用いて磁気共鳴信号を検出する方法である。この方式で磁気共鳴信号を検出すると、９０度だけ位相がずれた信号がそれぞれのＲＦコイルから検出される。これらの検出信号を合成することにより、１つのＲＦコイルで受信した場合に比べてＳＮ比が理論的に√２倍向上する。また、高周波磁場の照射時には、円偏波を照射することから電力が１／２で済むため、人体の高周波発熱を小さくすることができる。平面型バードケージコイルは、その構造の対称性からＱＤ方式を実施することが容易である。信号を送受信するための２つの給電ポートを互いに直交した位置に配置することで、一つのコイルでＱＤ方式による送受信が可能となる。図１４に示した平面型バードケージコイルはＱＤ方式を適用した場合を示しているが、１つの給電ポートだけを用いるＳｉｎｇｌｅ給電の場合はＰ１かＰ２のどちらか１つを備えるものとする。【０００６】
図１４のようなコイルの場合、コイル面に平行する面（ＸＹ平面）上の感度（Ｓｅｎｓｉｔｉｖｉｔｙ）分布は図１５のようになる。図１５の感度分布では、第１リング１６１と第２リング１６２付近に感度の鋭い山が存在し、第１リング１６１と第２リング１６２の中間点、及び第２リング１６２の内側に感度の谷が存在することを示している。撮影視野を３６ｃｍ（−１８ｃｍ〜１８ｃｍ）とした時、視野内での照射感度不均一は約５５％である。図１５のように、第２リング１６２の径が第１リング１６１に対して１／２以下の場合、このようなコイル中心付近の感度不均一が問題となる。具体的には、送信コイルとして用いた場合には、核スピンの励起が空間的に不均一となり、受信コイルとして用いた場合には、得られる核磁気共鳴信号の強度が空間的に不均一となる。【０００７】
一方、第２リング１６２の径が第１リング１６１に対して１／２以上の場合、つまり図１６のようなコイルの場合はどうかというと、第２リング内側の感度の谷が拡大する。図１６に示したコイルでは、大きいリング状導体１６１の半径は４０ｃｍ、小さいリング状導体１６２の半径は２２ｃｍである。図１６に示したコイルでは、コイル中心付近の照射感度均一性は改善するが、有効な感度領域がコイルの外周寄りになってしまう。視野が２０ｃｍ（−１０ｃｍ〜１０ｃｍ）の場合は照射不均一は撮影視野の内側で３０％以内におさまるが、撮影視野を３６ｃｍ（−１８ｃｍ〜１８ｃｍ）とした場合は照射感度不均一は約５０％となる。また、撮影対象の配置されるコイル中心部分で照射感度が小さいため、送信コイルとして用いた場合には給電電力の利用効率が大幅に低下し、受信コイルとして用いた場合には中心感度が大きく低下する。【０００８】
さらに、第１リングも第２リングも小さくし、コイル全体を小さくした場合はどうかというと、中心感度は高くなるが、感度が均一な領域は小さくなる。図１７に示したコイルでは、大きいリング状導体１６１の半径は２２ｃｍ、小さいリング状導体１６２の半径は６ｃｍである。視野が２０ｃｍ（−１０ｃｍ〜１０ｃｍ）の場合であっても、照射感度不均一は約５０％となる。【０００９】
上に述べたような感度不均一を改善する１つの方法として、ラング部にウィング状導体を配置するコイルが特表２００２−２２４０８２号公報に述べられている。図１８を用いて検討する。図１８に示したコイルでは、大きいリング状導体１６１の半径は４０ｃｍ、小さいリング状導体１６２の半径は６ｃｍである。放射状導体ラング１６３の本数は１２である。１２本の放射状ラングに、ウィング状導体２０１が配置されている。このウィング状導体上に流れる電流は、第１リング１６１と第２リング１６２の間に存在する感度の谷領域の感度を持ち上げる働きをする。撮影視野を３６ｃｍ（−１８ｃｍ〜１８ｃｍ）とした場合、照射感度不均一は約３０％となる。【００１０】
また、特開２００５−２１３２５号公報には、径の大きい第１のリング状導体と径の小さい第２のリング状導体に加えて、その間の径を有する第３のリング状導体を配置した平面型バードケージコイルが示されている。第１のリング状導体と第２のリング状導体の間の径を有する第３のリング状導体上を流れる電流は、第１リング１６１と第２リング１６２の間に存在する感度の谷領域の感度を持ち上げる働きをする。このため、第３のリング状導体を設けることは、感度均一性向上に効果がある。【００１１】
一般に、照射（送信）コイルと受信コイルを用いるＭＲＩ装置では、照射コイルと受信コイルの導体素子の一部にダイオードを設置し、ダイオードのＯＮ／ＯＦＦにより両者（照射コイルと受信コイル）の電磁気的干渉を低減する。一般に照射ＲＦコイルに設置されるダイオードは、導体素子に直列に接続される。受信時にはダイオードがＯＦＦ状態であるためダイオードは大きな抵抗として作用し、照射コイルの導体素子上の電流を分断し、照射コイルがアンテナとして動作することを抑制する。これにより、照射コイルと受信コイルの電磁気的干渉を低減する。照射時には照射コイルに流れる大電流によりダイオードがＯＮ状態となり、照射コイルはアンテナとして動作する。照射コイルに接続されるダイオードのＯＮ状態における抵抗は０．５Ω程度である。ダイオードにおいても電力を消費するため、放射効率の観点からはダイオードの個数はできるだけ少ないことが望まれる。また、電流の多く流れる導電素子部分にダイオードを設置すると、ダイオードの発熱が問題となる。平面型バードケージコイルにダイオードを設置する方法は、特開２００３−１８０６５３号公報や、特表２００４−５１３７１８号公報などに開示されている。【００１２】
特開２００３−１８０６５３号公報に開示されているように、一般的には放射状導体（ラング）部にダイオードを設置する。これはバードケージコイルでは、リング部に流れる電流はラング部に流れる電流よりも２倍以上大きいため、リング部にダイオードを設置するとダイオードの発熱が大きくなるためである。第３のリング状導体を設けていない通常の平面型バードケージコイルにおいては、ラング部にダイオードを設置するだけで、照射コイルと受信コイルとの電磁気的干渉を低減することが出来る。【００１３】
特表２００４−５１３７１８号公報では、径の大きい第１のリング状導体と径の小さい第２のリング状導体に加えて、その間の径を有する第３のリング状導体を設けた平面型バードケージコイルにおいて、図１１のように、第３のリング状導体より外側のラング部とリング部にダイオードを設置したＲＦコイルが開示されている。第３のリング状導体を設けた平面型バードケージコイルにおいては、一般に、第３のリング状導体より外側のラング部とリング部にダイオードを設置する。これは、第３のリング状導体より内側は（第３のリング状導体の外側と比較して）導体配線が密集しており、ダイオードの放熱の寸法からスペースを十分確保できる位置にダイオードを配置する必要があるためである。特表２００４−５１３７１８号公報に示されたコイルは、第３のリング状導体を設けているため感度均一性において優れるが、リング部に設置しているダイオードに流れる電流は、ラング部のダイオードに流れる電流と比べて２倍以上大きい。このため、リング部に設置しているダイオードの発熱は、ラング部のそれと比較して４倍以上大きいという問題点がある。このため、リング部に設置したダイオードの放熱のためにかかるコストが大きくなる。特表２００４−５１３７１８号公報に示されたコイルから発熱が問題となるリング部のダイオードを除去してしまうと、照射コイルと受信コイルとの電磁気的干渉を十分低減する事が出来ない。【００１４】
特表２００２−２２４０８２号公報に述べられているラング部にウィング状導体を配置するコイルにおいても、図１９に示すように、ウィング状導体の外側にダイオードを設置する。これはウィング状導体より内側は導体配線が密集しており、放熱の考慮からスペースを十分確保できる位置にダイオードを配置する必要があるためである。特表２００２−２２４０８２号公報に述べられているラング部にウィング状導体を配置するコイルにおいては、第３のリング状導体を設けていない通常の平面型バードケージコイルと同様に、ラング部にダイオードを設置するだけで、十分に照射コイルと受信コイルとの電磁気的干渉を低減することが出来る。【００１５】
本発明の目的は、上記の点を鑑み、平面型バードケージコイルの感度分布を向上し、かつ、照射コイルと受信コイルとの電磁気的干渉の少ないＲＦコイルを提供することにある。
【課題を解決するための手段】
【００１６】
本発明に係る磁気共鳴装置は、一例として、鉛直方向に静磁場を発生する手段と、前記静磁場に置かれた検査対象に印加する励起ＲＦパルスを発生する照射コイルと、前記静磁場に重畳する傾斜磁場を発生する手段と、前記検査対象から発生する核磁気共鳴信号を検出する受信用コイルとを具備し、前記照射コイルが、第１の径の第１のリング状導体、前記第１の径より小さい第２の径の第２のリング状導体前記第１の径と前記第２の径の間の径を有する少なくとも１つの第３のリング状導体、及び前記第１のリング状導体と前記第２のリング状導体と前記第３のリング状導体との各々と連結する複数のラング導体と、前記第３のリング状導体より内側に位置するラング導体の内側部分に配置される第１ダイオードを有することを特徴とする。
【発明の効果】
【００１７】
本発明によれば平面型バードケージコイルの感度分布を向上し、かつ、照射コイルと受信コイルとの電磁気的干渉の少ないＲＦコイルを実現できる。このようなＲＦ送信コイルによれば、送信コイルの放射効率を向上することができ、かつ、受信コイルの感度が向上することから、高Ｓ／Ｎの画像を取得できるＭＲＩ装置を構成することが出来る。【００１８】
本発明の他の目的、特徴及び利点は添付図面に関する以下の本発明の実施例の記載から明らかになるであろう。
【発明を実施するための最良の形態】
【００１９】
以下、詳細に本発明に関するＲＦコイルおよび磁気共鳴撮像装置の好適な実施の形態について説明する。なお、これにより本発明が限定されるものではない。【００２０】
まず、本発明が適用される磁気共鳴撮像装置の全体構成について説明する。図１は磁気共鳴撮像装置の外観図であり、図中、ｚ軸の方向が静磁場方向である。図１は鉛直磁場方式のマグネット２を備えた磁気共鳴撮像装置で、テーブル３０１に寝かせられた検査対象１はマグネット２のボア内の撮像空間に挿入され撮像される。【００２１】
本発明に係るＭＲＩ装置の一例の全体概要を図２に基づいて説明する。図２は、本発明に係るＭＲＩ装置の一実施例の全体構成を示すブロック図である。このＭＲＩ装置は、ＮＭＲ現象を利用して被検体の断層画像を得るもので、図２に示すように、ＭＲＩ装置は静磁場発生系２と、傾斜磁場発生系３と、送信系５と、受信系６と、信号処理系７と、シーケンサ４と、中央処理装置（ＣＰＵ）８とを備えて構成される。【００２２】
静磁場発生系２は、鉛直磁場方式であれば、被検体１の周りの空間にその体軸と実質的に直交する方向に、水平磁場方式であれば、実質的に体軸方向に均一な静磁場を発生させるもので、被検体１の周りに永久磁石方式、常電導方式あるいは超電導方式の静磁場発生源が配置されている。【００２３】
傾斜磁場発生系３は、ＭＲＩ装置の座標系（静止座標系）であるＸ，Ｙ，Ｚの３軸方向に巻かれた傾斜磁場コイル９と、それぞれの傾斜磁場コイルを駆動する傾斜磁場電源１０とから成り、後述のシーケンサ４からの命令に従ってそれぞれのコイルの傾斜磁場電源１０を駆動することにより、Ｘ，Ｙ，Ｚの３軸方向に傾斜磁場Ｇｘ，Ｇｙ，Ｇｚを印加する。撮影時には、スライス面（撮影断面）に直交する方向にスライス方向傾斜磁場パルス（Ｇｓ）を印加して被検体１に対するスライス面を設定し、そのスライス面に実質的に直交して且つ互いに直交する残りの２つの方向に位相エンコード方向傾斜磁場パルス（Ｇｐ）と周波数エンコード方向傾斜磁場パルス（Ｇｆ）を印加して、エコー信号にそれぞれの方向の位置情報をエンコードする。【００２４】
シーケンサ４は、高周波磁場パルス（以下、「ＲＦパルス」という）と傾斜磁場パルスをある所定のパルスシーケンスで繰り返し印加する制御手段で、ＣＰＵ８の制御で動作し、被検体１の断層画像のデータ収集に必要な種々の命令を送信系５、傾斜磁場発生系３、および受信系６に送る。【００２５】
送信系５は、被検体１の生体組織を構成する原子の原子核スピンに核磁気共鳴を起こさせるために、被検体１にＲＦパルスを照射するもので、高周波発振器１１と変調器１２と高周波増幅器１３と送信側の高周波コイル（送信コイル）１４ａとから成る。高周波発振器１１から出力された高周波パルスをシーケンサ４からの指令によるタイミングで変調器１２により振幅変調し、この振幅変調された高周波パルスを高周波増幅器１３で増幅した後に被検体１に近接して配置された高周波コイル１４ａに供給することにより、ＲＦパルスが被検体１に照射される。【００２６】
受信系６は、被検体１の生体組織を構成する原子核スピンの核磁気共鳴により放出されるエコー信号（ＮＭＲ信号）を検出するもので、受信側の高周波コイル（受信コイル）１４ｂと信号増幅器１５と直交位相検波器１６と、Ａ／Ｄ変換器１７とから成る。送信側の高周波コイル１４ａから照射された電磁波によって誘起された被検体１の応答のＮＭＲ信号が被検体１に近接して配置された高周波コイル１４ｂで検出され、信号増幅器１５で増幅された後、シーケンサ４からの指令によるタイミングで直交位相検波器１６により直交する二系統の信号に分割され、それぞれがＡ／Ｄ変換器１７でディジタル量に変換されて、信号処理系７に送られる。【００２７】
信号処理系７は、各種データ処理と処理結果の表示及び保存等を行うもので、光ディスク１９、磁気ディスク１８等の外部記憶装置と、ＣＲＴ等からなるディスプレイ２０とを有し、受信系６からのデータがＣＰＵ８に入力されると、ＣＰＵ８が信号処理、画像再構成等の処理を実行し、その結果である被検体１の断層画像をディスプレイ２０に表示すると共に、外部記憶装置の磁気ディスク１８等に記録する。【００２８】
操作部２５は、ＭＲＩ装置の各種制御情報や上記信号処理系７で行う処理の制御情報を入力するもので、トラックボール又はマウス２３、及び、キーボード２４から成る。この操作部２５はディスプレイ２０に近接して配置され、操作者がディスプレイ２０を見ながら操作部２５を通してインタラクティブにＭＲＩ装置の各種処理を制御する。【００２９】
なお、図２において、送信側の高周波コイル１４ａと傾斜磁場コイル９は、被検体１が挿入される静磁場発生系２の静磁場空間内に、鉛直磁場方式であれば被検体１に対向して、水平磁場方式であれば被検体１を取り囲むようにして設置されている。また、受信側の高周波コイル１４ｂは、被検体１に対向して、或いは取り囲むように設置されている。【００３０】
現在ＭＲＩ装置の撮像対象核種は、臨床で普及しているものとしては、被検体の主たる構成物質である水素原子核（プロトン）である。プロトン密度の空間分布や、励起状態の緩和時間の空間分布に関する情報を画像化することで、人体頭部、腹部、四肢等の形態または、機能を２次元もしくは３次元的に撮像する。【００３１】
まず、図３を用いて、径の大きい第１のリング状導体１６１と径の小さい第２のリング状導体１６２に加えて、その間の径を有する第３のリング状導体３１を配置した平面型バードケージコイルの感度分布について説明する。図３（ａ）に示したコイルでは、大きいリング状導体１６１の半径は４０ｃｍ、小さいリング状導体１６２の半径は６ｃｍ、第３のリング状導体３１の半径は２２ｃｍである。放射状導体ラング（ラング導体）１６３の本数は１２である。図３（ａ）に示したように構成された平面状ＲＦコイルでは、図１５と図１６と図１７の感度分布を足し合わせたような図３（ｂ）に示した感度分布となる。ただし、給電電力は一定なので、第２リングと第３リングは電流が分流するため、感度の山が低くなり、谷の部分との感度差が小さくなる。図３（ｂ）において、破線が第１リングと第２リングを１２本のラングで結んだモードの感度分布、点線が第１リングと第３リングを１２本のラングで結んだモードの感度分布、１点鎖線が第２リングと第３リングを１２本のラングで結んだモードの感度分布であり、実線はそれらを足し合わせた図３（ａ）に示した平面状ＲＦコイルの感度分布である。図３のようなコイルを送信コイルとして用いる場合は、撮像可能な視野領域を第３リングの内側の領域に収まるようにコイル寸法を定めることにより、照射強度が均一な部分を最大限有効に活用することが出来る。撮影視野を３６ｃｍ（−１８ｃｍ〜１８ｃｍ）とした場合、照射感度不均一は約２５％となる。また、受信コイルとして用いる場合には、第３リングの内側で均一度の高いＭＲ画像を得ることが出来る。【００３２】
図４は変形例である。図３（ａ）に示したコイルにさらにウィング状導体（閉曲線導体）２０１を加えたものが、図４（ａ）に示したＲＦコイルである。ウィング状導体同士をキャパシタを介して電気的に接続し、第３リング（中間リング）３１を構成している。図４（ａ）に示したＲＦコイルでは、ウィング状導体の一部にキャパシタ４１を接続している。このキャパシタ４１は、１０００ｐＦを越す大きな容量のキャパシタであり、周波数の低い電流を遮断する働きがある。例えば、傾斜磁場コイルが発生する周波数の低い磁場はリング状導体に電流を誘起するが、リング状導体の一部にキャパシタを接続しておけば、そこで電流は遮断され、周波数の低い電流が作る二次磁場によって発生する偽像（アーチファクト）を抑制するという効果がある。１０００ｐＦを越す大きな容量のキャパシタの場合、１０ＭＨｚ以上の高い周波数領域では極小さな抵抗としてしか働かないので、高周波の電流については遮断されることはない。図４（ａ）に示したＲＦコイルでは、ウィング状導体に流れる電流は、第１リング１６１と第２リング１６２の間に存在する感度の谷領域の感度を持ち上げる働きをする。図４（ｂ）において、破線が第１リングと第２リングを１２本のラングで結んだモードの感度分布、点線が第１リングと第３リングを１２本のラングで結んだモードの感度分布、１点鎖線が第２リングと第３リングを１２本のラングで結んだモードの感度分布であり、実線はそれらを足し合わせた図４（ａ）に示した平面状ＲＦコイルの感度分布である。破線で示した第１リングと第２リングを１２本のラングで結んだモードの感度分布において、第１リングと第２リングの間に存在する感度の谷領域の感度が、図３と比較して改善していることが分かる。図４のようなコイルを送信コイルとして用いる場合は、撮像可能な視野領域を第３リングの内側の領域に収まるようにコイル寸法を定めて製作することにより、照射強度が均一な部分を最大限有効に活用することが出来る。撮影視野を３６ｃｍ（−１８ｃｍ〜１８ｃｍ）とした場合、照射感度不均一は約２２％となる。
【実施例１】
【００３３】
以上を踏まえ、実施例を以下に詳細に説明する。図５Ａ−５Ｅを用いて、径の大きい第１のリング状導体と径の小さい第２のリング状導体に加えて、その間の径を有する第３のリング状導体を配置した平面型バードケージコイルのダイオードの最適配置について説明する。図５Ａ−５Ｄに示したコイルでは、大きいリング状導体の半径は４０ｃｍ、小さいリング状導体の半径は６ｃｍ、第３のリング状導体の半径は２２ｃｍである。放射状導体ラングの本数は１２である。図５Ａに示す（ｉ）は第３リングより外側のラング部に各々ダイオードを配置し、合計１２個のダイオードを配置している。図５Ｂに示す（ｉｉ）は第３リングより内側のラング部に各々ダイオードを配置し、合計１２個のダイオードを配置している。図５Ｃに示す（ｉｉｉ）は第３リングより内側のラング部に各々ダイオードを配置し、合計４個のダイオードを、また第３リングより外側のラング部に各々ダイオードを配置し、合計８個のダイオードを配置している。図５Ｄに示す（ｉｖ）は第３リングより内側のラング部に各々ダイオードを配置し、合計６個のダイオードを、また第３リングより外側のラング部に各々ダイオードを配置し、合計６個のダイオードを配置している。特に、内側にダイオードを配置されたラングと外側にダイオードを配置されたラングを交互に配置している。【００３４】
これらの平面バードケージコイルを照射コイルとして用いる場合について考える。照射コイルと受信コイルの電磁気的干渉の大きさを、受信コイルの入力インピーダンス波形で評価する。図５Ｅのグラフは、照射コイルの中心部から５ｃｍ離れた位置に配置された受信コイルの共振周波数近辺の入力インピーダンスの波形である。受信コイルは通常、照射コイルの中心部付近に置かれ、受信コイルの寸法は人体の大きさに合わせて４０ｃｍ程度の大きさである。受信コイルの外径は、照射コイルの外径より小さくてもよい。１点鎖線で示した波形（（ｉ）と記載）は、第３リングより外側のラング部に１２個のダイオードを配置した（ｉ）の照射コイルの中心部から５ｃｍ離れた位置に配置された、受信コイルの入力インピーダンスの波形である。２点鎖線で示した波形（（ｉｉ）と記載）は、第３リングより内側のラング部に１２個のダイオードを配置した（ｉｉ）の照射コイルの中心部から５ｃｍ離れた位置に配置された、受信コイルの入力インピーダンスの波形である。実線で示した波形（（ｉｉｉ）と記載）は、第３リングより内側のラング部に４個、第３リングより外側のラング部に８個のダイオードを配置した（ｉｉｉ）の照射コイルの中心部から５ｃｍ離れた位置に配置された、受信コイルの入力インピーダンスの波形である。破線で示した波形（（ｉｖ）と記載）は、第３リングより内側のラング部と外側のラング部に交互に６個ずつダイオードを配置した（ｉｖ）の照射コイルの中心部から５ｃｍ離れた位置に配置された、受信コイルの入力インピーダンスの波形である。また、参考として、受信コイル単体（照射コイルは存在しない）の入力インピーダンスの波形を点線で示している。この受信コイル単体の入力インピーダンス波形に近いほど、照射コイルと受信コイルとの電磁気的干渉が小さいと言える。【００３５】
（ｉ）の照射コイルの場合（１点鎖線）、受信コイルの入力インピーダンス波形は、共振ピークが二こぶになっていることが分かる。これは、照射コイルと受信コイルの電磁気的干渉が大きいことを示している。（ｉ）の照射コイルでは、第３リングの外側のラング部に１２個のダイオードを配置しているため、第１リングと第２リングを１２本のラングで結んだモードの電流、並びに、第１リングと第３リングを１２本のラングで結んだモードの電流については、十分遮断される。しかしながら、第２リングと第３リングを１２本のラングで結んだモードについては、第３リングの内側にダイオードが存在しないため、電流が遮断されない。受信コイルは、その寸法から、第３リング（中間リング）の内側に置かれるため、第２リングと第３リングを１２本のラングで結んだモードと最も強く干渉する。【００３６】
（ｉｉ）の照射コイルの場合（２点鎖線）、受信コイルの入力インピーダンス波形は、シャープであり受信コイル単体の波形（点線）に近く、照射コイルと受信コイルとの電磁気的干渉は十分低減されているといえる。中間リングの外側にダイオードが配置されていないにもかかわらず、照射コイルと受信コイルとの電磁気的干渉は十分低減されているのは、受信コイルは、その寸法から、第３リング（中間リング）の内側に置かれるため、第１リングと第３リングを１２本のラングで結んだモードとはあまり強く干渉しないためである。このように、第３リング（中間リング）より内側にダイオードを配置する事により、平面型バードケージコイルの感度分布を向上し、かつ、照射コイルと受信コイルとの電磁気的干渉の少ないＲＦコイルを実現できる。中間リングの内側には、導体配線が密集しているため、ダイオードを各ラングに配置するには、ダイオードに設置される放熱板の寸法をより小さくすることが望ましい。【００３７】
（ｉｉｉ）の照射コイルの場合（実線）、受信コイルの入力インピーダンス波形は、（ｉｉ）に次いでシャープであり受信コイル単体の波形（点線）に近く、照射コイルと受信コイルとの電磁気的干渉は十分低減されているといえる。このように、第３リング（中間リング）より外側に加えて内側にもダイオードを配置する事により、平面型バードケージコイルの感度分布を向上し、かつ、照射コイルと受信コイルとの電磁気的干渉の少ないＲＦコイルを実現できる。中間リングの内側には、導体配線が密集しているが、ラング数の半分以下ならば、放熱板を含んだダイオードを容易に設置可能である。【００３８】
図１２に示すように、中間リングの外側のラング全てにダイオードを設置すれば、受信コイルとの電磁気的干渉はさらに低減できる。ただし、照射コイルに接続されるダイオードのＯＮ状態における抵抗は０．５Ω程度であり、ダイオードにおいても電力を消費するため、放射効率の観点からはダイオードの個数は少ないほうが望ましい。【００３９】
（ｉｖ）の照射コイルの場合（破線）、第３リング（中間リング）より外側に加えて内側にもダイオードを配置しているにもかかわらず、受信コイルの入力インピーダンス波形は、共振ピークが二こぶになっている。これは、照射コイルと受信コイルの電磁気的干渉が大きいことを示している。第３リング内側と外側のラング部に交互にダイオードを配置したときに、電磁気的干渉低減効果が小さくなる理由について、図６を用いて説明する。図６において、点線で示されている導体はダイオードの働きで電流が遮断される部分を示している。実線で示されている電流が遮断されない導体部分を見ると、６本の放射状ラングから構成される平面型バードケージコイルと等価である事が分かる。平面型バードケージは効率よく共鳴周波数の電磁波の送受を行う働きがあるため、同じく効率よく共鳴周波数の電磁波の送受を行うアンテナの一種である受信コイルと電磁気的にカップリングする。このため、この６本の放射状ラングから構成される平面型バードケージコイルと、受信コイルは互いに大きく干渉する。第３リング（中間リング）より内側のラングにおいて、ダイオードを配置しないラングが等間隔に並ぶ場合、中間リングの内側に平面型バードケージと等価な働きをするモードができてしまうため、受信コイルとの相互干渉の低減率が低下する。【００４０】
図４に示したウィング状導体を加えた変形例についても同様である。図７Ａ−７Ｅを用いて、ウィング状導体（閉曲線状導体）を加えた平面型バードケージコイルのダイオードの配置について説明する。ウィング状導体（閉曲線状導体）は、第１リングと第２リングとの間に複数配置される。また、第１リングと第２リングとの同心円上に実質的に位置する円状部分を各々有する。円状部分にキャパシタを有し、ウィング状導体同士をキャパシタを介して電気的に接続する。電気的に接続されたウィング状導体は、上記の第３リングと等価と考えることが出来る。図７Ａに示す（ｉ）は第３リングより外側のラング部に各々ダイオードを配置し、合計１２個のダイオードを配置している。図７Ｂに示す（ｉｉ）は第３リングより内側のラング部に各々ダイオードを配置し、合計１２個のダイオードを配置している。図７Ｃに示す（ｉｉｉ）は第３リングより内側のラング部に各々ダイオードを配置し、合計４個のダイオードを、また第３リングより外側のラング部に各々ダイオードを配置し、合計８個のダイオードを配置している。図７Ｄに示す（ｉｖ）は第３リングより内側のラング部に各々ダイオードを配置し、合計６個のダイオードを、また第３リングより外側のラング部に各々ダイオードを配置し、合計６個のダイオードを内外交互に配置している。【００４１】
これらの平面バードケージコイルを照射コイルとして用いる場合について考える。照射コイルと受信コイルの電磁気的干渉の大きさを、受信コイルの入力インピーダンス波形で評価する。図７Ｅのグラフは、照射コイルの中心部から５ｃｍ離れた位置に配置された受信コイルの共振周波数近辺の入力インピーダンスの波形である。受信コイルは通常、照射コイルの中心部付近に置かれ、受信コイルの寸法は人体の大きさに合わせて４０ｃｍ程度の大きさである。１点鎖線で示した波形（（ｉ）と記載）は、第３リング外側ラング部に１２個のダイオードを配置した（ｉ）の照射コイルの中心部から５ｃｍ離れた位置に配置された、受信コイルの入力インピーダンスの波形である。２点鎖線で示した波形（（ｉｉ）と記載）は、第３リングより内側のラング部に１２個のダイオードを配置した（ｉｉ）の照射コイルの中心部から５ｃｍ離れた位置に配置された、受信コイルの入力インピーダンスの波形である。実線で示した波形（（ｉｉｉ）と記載）は、第３リングより内側のラング部に４個、第３リングより外側のラング部に８個のダイオードを配置した（ｉｉｉ）の照射コイルの中心部から５ｃｍ離れた位置に配置された、受信コイルの入力インピーダンスの波形である。破線で示した波形（（ｉｖ）と記載）は、第３リングより内側と外側のラング部に交互に６個ずつダイオードを配置した（ｉｖ）の照射コイルの中心部から５ｃｍ離れた位置に配置された、受信コイルの入力インピーダンスの波形である。また、参考として、受信コイル単体（照射コイルは存在しない）の入力インピーダンスの波形を点線で示している。この受信コイル単体の入力インピーダンス波形に近いほど、照射コイルと受信コイルとの電磁気的干渉が小さいと言える。【００４２】
（ｉ）の照射コイルの場合（１点鎖線）、受信コイルの入力インピーダンス波形は、共振ピークが二こぶになっていることが分かる。これは、照射コイルと受信コイルの電磁気的干渉が大きいことを示している。（ｉ）の照射コイルでは、第３リングの外側のラング部に１２個のダイオードを配置しているため、第１リングと第２リングを１２本のラングで結んだモードの電流、並びに、第１リングと第３リングを１２本のラングで結んだモードの電流については、十分遮断される。しかしながら、第２リングと第３リングを１２本のラングで結んだモードについては、第３リングの内側にダイオードが存在しないため、電流が遮断されない。受信コイルは、その寸法から、第３リング（中間リング）の内側に置かれるため、第２リングと第３リングを１２本のラングで結んだモードと最も強く干渉する。【００４３】
（ｉｉ）の照射コイルの場合（２点鎖線）、受信コイルの入力インピーダンス波形は、シャープであり受信コイル単体の波形（点線）に近く、照射コイルと受信コイルとの電磁気的干渉は十分低減されているといえる。中間リングの外側にダイオードが配置されていないにもかかわらず、照射コイルと受信コイルとの電磁気的干渉は十分低減されているのは、受信コイルは、その寸法から、第３リング（中間リング）の内側に置かれるため、第１リングと第３リングを１２本のラングで結んだモードとはあまり強く干渉しないためである。このように、第３リング（中間リング）の内側にダイオードを配置する事により、平面型バードケージコイルの感度分布を向上し、かつ、照射コイルと受信コイルとの電磁気的干渉の少ないＲＦコイルを実現できる。中間リングの内側には、導体配線が密集しているため、ダイオードを各ラングに配置するには、ダイオードに設置される放熱板の寸法を小さくすることが望ましい。【００４４】
（ｉｉｉ）の照射コイルの場合（実線）、受信コイルの入力インピーダンス波形は、（ｉｉ）に次いでシャープであり受信コイル単体の波形（点線）に近く、照射コイルと受信コイルとの電磁気的干渉は十分低減されているといえる。このように、第３リング（中間リング）より外側に加えて内側にもダイオードを配置する事により、平面型バードケージコイルの感度分布を向上し、かつ、照射コイルと受信コイルとの電磁気的干渉の少ないＲＦコイルを実現できる。中間リングの内側には、導体配線が密集しているが、ラング数の半分以下ならば、放熱板を含んだダイオードを容易に設置可能である。【００４５】
（ｉｖ）の照射コイルの場合（破線）、（ｉｉｉ）の照射コイルよりも第３リング（中間リング）の内側に多くのダイオードを配置しているにもかかわらず、受信コイルの入力インピーダンス波形は、（ｉｉｉ）の照射コイルよりもＱ値が低くなっている。これは、（ｉｉｉ）の照射コイルよりも、照射コイルと受信コイルの電磁気的干渉が大きいことを示している。第３リングより内側と外側のラング部に交互にダイオードを配置したときに、電磁気的干渉低減効果が小さくなる理由について、図８を用いて説明する。図８において、点線で示されている導体はダイオードの働きで電流が遮断される部分を示している。実線で示されている電流が遮断されない導体部分を見ると、６本の放射状ラングから構成される平面型バードケージコイルと等価である事が分かる。このため、この６本の放射状ラングから構成される平面型バードケージコイルと、受信コイルは互いに大きく干渉する。第３リング（中間リング）より内側のラングにおいて、ダイオードを配置しないラングが等間隔に並ぶ場合、中間リングより内側に平面型バードケージと等価な働きをするモードができてしまうため、受信コイルとの相互干渉の低減率が低下する。【００４６】
以上述べたように、中間リングを有する平面型バードケージにおいて、中間リングより内側のラング（内側ラング）にダイオードを配置する事により、平面型バードケージコイルの感度分布を向上し、かつ、照射コイルと受信コイルとの電磁気的干渉の少ないＲＦコイルを実現できる。照射不均一が小さくなり、受信コイルの感度が向上することから、高Ｓ／Ｎの画像を取得できるＭＲＩ装置を構成することが出来る。また、ダイオードを配置した内側ラングと、ダイオードを配置しない内側ラングが交互にならないように配置する事によっても、上記の効果を得ることができる。
【実施例２】
【００４７】
図９Ａ，９Ｂを用いて、径の大きい第１のリング状導体と径の小さい第２のリング状導体に加えて、その間の径を有する第３のリング状導体を配置した平面型バードケージコイルのダイオードの配置について説明する。図９Ａに示したコイルでは、大きいリング状導体の半径は４０ｃｍ、小さいリング状導体の半径は６ｃｍ、第３のリング状導体の半径は２２ｃｍである。放射状導体ラングの本数は１６である。図３に示したコイルと比べて、図９Ａ，９Ｂに示したコイルのラングの本数が多い。コイル直径が同じでラングの本数が異なる２つのコイルを、共振周波数が同じになるようにキャパシタ容量を調整するとき、ラングの本数が多いコイルの方がキャパシタ容量が大きい。コイル直径が一定のとき、コイルの共振周波数を高くするためには、キャパシタ容量を小さくする必要がある。コイルの共振周波数はＭＲＩ装置の静磁場強度に比例して大きくする必要があるが、静磁場強度が高いＭＲＩ装置用のＲＦコイルを設計する際、キャパシタの容量を小さくしすぎることは好ましくない。これはキャパシタ容量が数ｐＦ以下となると、浮遊容量の影響を受けやすくなりコイルの動作が不安定となるからである。【００４８】
このため、静磁場強度が高いＭＲＩ装置用のＲＦコイルを設計する際には、ラングの本数が多いほうが設計の自由度が広がるという利点がある。このコイルでは、第３リングより内側のラング部に各々ダイオードを配置し、合計４個のダイオードを、また第３リングより外側のラング部に各々ダイオードを配置し、合計１２個のダイオードを配置している。ダイオードの配置が、コイル中心に対して対称であるため、コイル製造の自動化が容易であるという利点がある。ラング数が１６であっても、第１リングと第２リングをラングで結んだモード、第１リングと第３リングをラングで結んだモード、第２リングと第３リングをラングで結んだモード、の３つのモードが存在する。第１リングと第２リングをラングで結んだモードは、全てのラングをダイオードで遮断されているため、受信時には平面型バードケージコイルとして働かない。第２リングと第３リングをラングで結んだモードも、ダイオードを配置していないラングが等間隔に並んでいないため、受信時には平面型バードケージコイルとして働かない。第１リングと第３リングをラングで結んだモードは、ダイオードを配置していないラング４本が等間隔に並んでいる。このため受信時に平面バードケージとして働くが、受信コイルは、その寸法から、第３リング（中間リング）の内側に置かれるため、第１リングと第３リングを４本のラングで結んだモードとはあまり強く干渉しない。このように、中間リングを有する平面型バードケージにおいて、中間リングの内側のラング（内側ラング）にダイオードを配置し、ダイオードを配置しない内側ラングが等間隔にならないように配置する事により、平面型バードケージコイルの感度分布を向上し、かつ、照射コイルと受信コイルとの電磁気的干渉の少ないＲＦコイルを実現できる。【００４９】
図９Ｂは変形例である。このコイルでは、第３リングより内側のラング部に各々ダイオードを配置し、合計６個のダイオードを、また第３リングより外側のラング部に各々ダイオードを配置し、合計１０個のダイオードを配置している。第１リングと第２リングをラングで結んだモードは、全てのラングをダイオードで遮断されているため、受信時には平面型バードケージコイルとして働かない。第２リングと第３リングをラングで結んだモードも、ダイオードを配置していないラングが等間隔に並んでいないため、受信時には平面型バードケージコイルとして働かない。第１リングと第３リングをラングで結んだモードも、ダイオードを配置していないラングが等間隔に並んでいないため、受信時には平面型バードケージコイルとして働かない。いずれのモードでも受信時には平面型バードケージコイルとして働かないため、図９Ａに示したコイルよりも、さらに照射コイルと受信コイルとの電磁気的干渉を低減できるという効果がある。【００５０】
以上、特定の例について説明を行ったが、ダイオードの配置方法は上記にとどまらず、特にはダイオードを配置しない内側ラングが等間隔にならないように配置すれば良い。具体的には、ダイオードを配置した内側ラングに挟まれた、ダイオードを配置しない内側ラングの個数が、少なくとも１箇所は２以上の整数であれば良い。このようなダイオード配置により、平面型バードケージコイルの感度分布を向上し、かつ、照射コイルと受信コイルとの電磁気的干渉の少ないＲＦコイルを実現できる。照射不均一が小さくなり、受信コイルの感度が向上することから、高Ｓ／Ｎの画像を取得できるＭＲＩ装置を構成することが出来る。
【実施例３】
【００５１】
図１０を用いて、径の大きい第１のリング状導体と径の小さい第２のリング状導体に加えて、その間の径を有する第３のリング状導体を配置した平面型バードケージコイルのダイオードの配置について説明する。図１０に示したコイルでは、大きいリング状導体の半径は４０ｃｍ、小さいリング状導体の半径は６ｃｍ、第３のリング状導体の半径は２２ｃｍである。放射状導体ラングの本数は２４である。図９Ａ，９Ｂに示したコイルと比べて、図１０に示したコイルのラングの本数が多い。コイル直径が同じでラングの本数が異なる２つのコイルを、共振周波数が同じになるようにキャパシタ容量を調整するとき、ラングの本数が多いコイルの方がキャパシタ容量が大きい。コイル直径が一定のとき、コイルの共振周波数を高くするためには、キャパシタ容量を小さくする必要がある。コイルの共振周波数はＭＲＩ装置の静磁場強度に比例して大きくする必要があるが、静磁場強度が高いＭＲＩ装置用のＲＦコイルを設計する際、キャパシタの容量を小さくしすぎることは好ましくない。これはキャパシタ容量が数ｐＦ以下となると、浮遊容量の影響を受けやすくなりコイルの動作が不安定となるからである。【００５２】
このため、静磁場強度が高いＭＲＩ装置用のＲＦコイルを設計する際には、ラングの本数が多いほうが設計の自由度が広がるという利点がある。このコイルでは、第３リングより内側のラング部に各々ダイオードを配置し、合計８個のダイオードを、また第３リングより外側のラング部に各々ダイオードを配置し、合計１６個のダイオードを配置している。ダイオードの配置が、コイル中心に対して対称であるため、コイル製造の自動化が容易であるという利点がある。ラング数が２４であっても、第１リングと第２リングをラングで結んだモード、第１リングと第３リングをラングで結んだモード、第２リングと第３リングをラングで結んだモード、の３つのモードが存在する。第１リングと第２リングをラングで結んだモードは、全てのラングをダイオードで遮断されているため、受信時には平面型バードケージコイルとして働かない。【００５３】
第２リングと第３リングをラングで結んだモードも、ダイオードを配置していないラングが等間隔に並んでいないため、受信時には平面型バードケージコイルとして働かない。第１リングと第３リングをラングで結んだモードは、ダイオードを配置していないラング８本が等間隔に並んでいる。このため受信時に平面バードケージとして働くが、受信コイルは、その寸法から、第３リング（中間リング）の内側に置かれるため、第１リングと第３リングを８本のラングで結んだモードとはあまり強く干渉しない。このように、中間リングを有する平面型バードケージにおいて、中間リングの内側のラング（内側ラング）にダイオードを配置し、ダイオードを配置しない内側ラングが等間隔にならないように配置する事により、平面型バードケージコイルの感度分布を向上し、かつ、照射コイルと受信コイルとの電磁気的干渉の少ないＲＦコイルを実現できる。【００５４】
図１３は変形例である。このコイルでは、第３リングより内側のラング部に各々ダイオードを配置し、合計８個のダイオードを、また第３リングより外側のラング部に各々ダイオードを配置し、合計１６個のダイオードを配置している。内側にダイオードが配置されるラングに挟まれて位置する、ダイオードが配置されないラングの数が、２または３となっており、２種類以上となっている。第１リングと第２リングをラングで結んだモードは、全てのラングをダイオードで遮断されているため、受信時には平面型バードケージコイルとして働かない。第２リングと第３リングをラングで結んだモードも、ダイオードを配置していないラングが等間隔に並んでいないため、受信時には平面型バードケージコイルとして働かない。第１リングと第３リングをラングで結んだモードも、ダイオードを配置していないラングが等間隔に並んでいないため、受信時には平面型バードケージコイルとして働かない。【００５５】
いずれのモードでも受信時には平面型バードケージコイルとして働かないため、図１０に示したコイルよりも、さらに、照射コイルと受信コイルとの電磁気的干渉を低減できるという効果がある。ダイオードの好適な配置はこれにとどまらず、ダイオードを配置しない内側ラングが等間隔にならないように配置すれば良い。具体的には、ダイオードを配置した内側ラングに挟まれた、ダイオードを配置しない内側ラングの個数が、少なくとも１箇所は２以上の整数であれば良い。あるいは、ダイオードを配置しない内側ラングに挟まれた、ダイオードを配置した内側ラングの個数が、２種類以上の整数であれば良い。【００５６】
以上、本発明を特定の形態について説明したが、上記以外の形態についても同様に、径の大きい第１のリング状導体と径の小さい第２のリング状導体に加えて、その間の径を有する少なくとも１つの第３のリング状導体（中間リング）を配置した平面型バードケージコイルにおいて、中間リングより内側のラング（内側ラング）にダイオードを配置すること、または、さらにダイオードを配置しない内側ラングが少なくとも一部で等間隔にならないようにすなわち少なくとも一部で異なる間隔で配置することにより、平面型バードケージコイルの感度分布を向上し、かつ、照射コイルと受信コイルとの電磁気的干渉を低減するという効果がある。照射不均一が小さくなり、受信コイルの感度が向上することから、高Ｓ／Ｎの画像を取得できるＭＲＩ装置を構成することが出来るという効果がある。【００５７】
上記記載は実施例についてなされたが、本発明はそれに限らず、本発明の精神と添付の請求の範囲の範囲内で種々の変更および修正をすることができることは当業者に明らかである。
【産業上の利用可能性】
【００５８】
本発明のＲＦコイルは、ＭＲＩ装置の一部品として使用可能のほか、数ＭＨｚから数ＧＨｚの周波数を持つ電磁波を使用するあらゆる機器に応用可能である。
【図面の簡単な説明】
【００５９】
【図１】磁気共鳴撮像装置の概観図。
【図２】本発明が適用されるＭＲＩ装置の概要を示す構成図。
【図３】第３リングを有する平面型バードケージコイルの感度分布を示す図。
【図４】第３リングを有し、かつ、ウィング部を有する平面型バードケージコイルの感度分布を示す図。
【図５Ａ】本発明の第３リングを有する平面型バードケージコイルのダイオード配置の一実施形態を示す図。
【図５Ｂ】本発明の第３リングを有する平面型バードケージコイルのダイオード配置の一実施形態を示す図。
【図５Ｃ】本発明の第３リングを有する平面型バードケージコイルのダイオード配置の一実施形態を示す図。
【図５Ｄ】本発明の第３リングを有する平面型バードケージコイルのダイオード配置の一実施形態を示す図。
【図５Ｅ】図５Ａから５Ｄに示すコイルの入力インピーダンスの波形を示す図。
【図６】ダイオードで電流を遮断した時の平面型バードケージコイルの等価コイルを示す図。
【図７Ａ】本発明の第３リングを有し、かつ、ウィング部を有する平面型バードケージコイルのダイオード配置の一実施形態を示す図。
【図７Ｂ】本発明の第３リングを有し、かつ、ウィング部を有する平面型バードケージコイルのダイオード配置の一実施形態を示す図。
【図７Ｃ】本発明の第３リングを有し、かつ、ウィング部を有する平面型バードケージコイルのダイオード配置の一実施形態を示す図。
【図７Ｄ】本発明の第３リングを有し、かつ、ウィング部を有する平面型バードケージコイルのダイオード配置の一実施形態を示す図。
【図７Ｅ】図７Ａから７Ｄに示すコイルの入力インピーダンスの波形を示す図。
【図８】ダイオードで電流を遮断した時の平面型バードケージコイルの等価コイルを示す図。
【図９Ａ】本発明の第３リングを有する平面型バードケージコイルのダイオード配置の一実施形態を示す図。
【図９Ｂ】本発明の第３リングを有する平面型バードケージコイルのダイオード配置の一実施形態を示す図。
【図１０】本発明の第３リングを有する平面型バードケージコイルのダイオード配置の一実施形態を示す図。
【図１１】中間リングにダイオードを配置した平面型バードケージコイルを示す図。
【図１２】本発明の第３リングを有する平面型バードケージコイルのダイオード配置の一実施形態を示す図。
【図１３】本発明の第３リングを有する平面型バードケージコイルのダイオード配置の一実施形態を示す図。
【図１４】従来の平面型バードケージコイルを示す図。
【図１５】従来の平面型バードケージコイルの感度分布を示す図。
【図１６】従来の平面型バードケージコイルの感度分布を示す図。
【図１７】従来の平面型バードケージコイルの感度分布を示す図。
【図１８】従来のウィング部を有する平面型バードケージコイルの感度分布を示す図。
【図１９】従来のウィング部を有する平面型バードケージコイルのダイオード配置の一実施形態を示す図。
【図１】
2008108048.tif 000003
【図２】
2008108048.tif 000004
【図３】
2008108048.tif 000005
【図４】
2008108048.tif 000006
【図５Ａ】
2008108048.tif 000007
【図５Ｂ】
2008108048.tif 000008
【図５Ｃ】
2008108048.tif 000009
【図５Ｄ】
2008108048.tif 000010
【図５Ｅ】
2008108048.tif 000011
【図６】
2008108048.tif 000012
【図７Ａ】
2008108048.tif 000013
【図７Ｂ】
2008108048.tif 000014
【図７Ｃ】
2008108048.tif 000015
【図７Ｄ】
2008108048.tif 000016
【図７Ｅ】
2008108048.tif 000017
【図８】
2008108048.tif 000018
【図９Ａ】
2008108048.tif 000019
【図９Ｂ】
2008108048.tif 000020
【図１０】
2008108048.tif 000021
【図１１】
2008108048.tif 000022
【図１２】
2008108048.tif 000023
【図１３】
2008108048.tif 000024
【図１４】
2008108048.tif 000025
【図１５】
2008108048.tif 000026
【図１６】
2008108048.tif 000027
【図１７】
2008108048.tif 000028
【図１８】
2008108048.tif 000029
【図１９】
2008108048.tif 000030
【国際調査報告】
2008108048.tif 000031
2008108048.tif 000032